(57)【特許請求の範囲】
【請求項１】
筒状の容器本体の上部開口端に、先端に塗布部を有する軸部が設けられた塗布具が、該軸部を該容器本体内に挿抜可能にして取り付けられてなる化粧料容器において前記容器本体の内部に装着して使用され、前記塗布部に付着した化粧料をしごき落して量の調節をするためのしごき部材であって、筒状部と、該筒状部の下端周縁に位置する下方に縮径した漏斗状部と、該漏斗状部の下端周縁に位置する該漏斗状部の下端周縁と平行する波形のベンド部とが、熱可塑性樹脂で一体に成形されてなり、前記ベンド部が前記漏斗状部との接続部分から下方の波形の山の先端に向かうに従い肉薄となる塗布具付き化粧料容器のしごき部材。
【請求項２】
熱可塑性樹脂がポリオレフィン樹脂又はポリエステル樹脂である請求項１に記載の塗布具付き化粧料容器のしごき部材。
【請求項３】
前記ベンド部の波形の形状が、正弦波形である請求項１又は２に記載の塗布具付き化粧料容器のしごき部材。
【請求項４】
前記ベンド部の波形の山の数が４〜８である請求項１〜３のいずれか１項に記載の塗布具付き化粧料容器のしごき部材。
【請求項５】
前記ベンド部の波形の波高が０．５〜３．０mmである請求項１〜４のいずれか１項に記載の塗布具付き化粧料容器のしごき部材。
【請求項６】
前記ベンド部が下方に向かって先細りとなっている請求項１〜５のいずれか１項に記載の塗布具付き化粧料容器のしごき部材。
【請求項７】
前記塗布具の前記軸部の直径は、軸上部が太く下部に向かって細くなっている請求項１〜６のいずれか１項に記載の塗布具付き化粧料容器のしごき部材。
【請求項８】
前記漏斗状部の下端の前記ベンド部との接続部分の内径は、前記軸部の軸上部の径よりφ０〜１．０ｍｍ小である請求項１〜７のいずれか１項に記載の塗布具付き化粧料容器のしごき部材。
【請求項９】
前記ベンド部の下端に内接する円の直径は、前記軸部の軸下部の径よりφ０〜１．０ｍｍ小である請求項１〜８のいずれか１項に記載の塗布具付き化粧料容器のしごき部材。
【請求項１０】
請求項１〜９のいずれか１項に記載のしごき部材が設けられた化粧料容器。
【発明の詳細な説明】
【技術分野】
【０００１】
本発明は、塗布具付き化粧料容器のしごき部材に関する。
【背景技術】
【０００２】
マスカラ、アイライナー等の液体化粧料の容器は、図６の平面図で示すように、塗布具１と筒状の容器本体２とで構成され、塗布具１は、キャップ１ａの内部に、先端に筆状、櫛状、ブラシ状等の塗布部１ｃを有する軸部１ｂが設けられる形で構成されており、軸部１ｂはその先端の塗布部１ｃと共に容器本体２内に挿抜可能であり、且つ、キャップ１ａの内周面に設けられた雌ねじ（図示せず）と容器本体２の上部開口端の外周面に設けられた雄ねじとで螺合することにより、容器本体２に冠着させ得る形となっている。
使用に際しては、塗布具１を容器本体２から外し、液体化粧料を塗布部１ｃに付着させた状態で軸部１ｂを容器本体２から引き出すが、液体化粧料を適切に使用するためには、塗布部１ｃへの液体化粧料の付着量を一定させる必要があり、塗布部１ｃに付着した液体化粧料をしごき落して量の調節をするために、図７の断面図で示すように、しごき部材３を容器本体２内の上部開口端付近に装着することが行われている。
【０００３】
このしごき部材３としては、一般的には、図８の半断面図で示すような、略円筒状で下部を漏斗状とした形状のものが使用されているが、しごき部材３には、付着量を一定させる機能だけでなく、良好なしごき感が得られる微妙な剛性が求められるため、従来、天然ゴム等のゴム弾性材料で作成したり、スリット等の剛性調整手段を設けることが行われている。（例えば、特許文献１及び２参照。）
しかしながら、ゴム弾性材料で作成したしごき部材は、その柔らかさ故に、液体化粧料を容器本体２内に充填した後の、液体化粧料容器の仕上げ工程において、容器本体２の開口端に押し込んで装着する（嵌め込む）ことは難しく、折りたたんで押し込む等の手間が必要であり、製造作業性が非常に悪く、更に、ゴム弾性材料を使用することにより製品単価が高くなる、という問題があった。
【０００４】
一方、しごき部材３をゴム弾性材料以外の樹脂材料で作成した場合には、ある程度の硬さがあるため製造作業性は良いものの、良好なしごき感を得ることは非常に難しい。
特許文献２には、細いスリットを設けて弾性を上げる方法が提案されているが、細いスリットを有する形状に射出成形するための金型を加工することは難しく、更に、スリットの根元部分ではしごき部材３の内径が軸部１ｂの外径より大きくなっているため、容器本体２内を密閉状態に保つことができず、液漏れや乾燥・固化を起こす恐れがあり、しかも、スリットの部分で軸部１ｂや塗布部１ｃにしごき残りのラインが生じる、という問題があった。
【先行技術文献】
【特許文献】
【０００５】
【特許文献１】特開２００１−６１５４７号公報
【特許文献２】特開２００４−７３５２５号公報
【発明の概要】
【発明が解決しようとする課題】
【０００６】
本発明は、筒状の容器本体の上部開口端に、先端に塗布部を有する軸部が設けられた塗布具が、該軸部を該容器本体内に挿抜可能にして取り付けられてなる化粧料容器において前記容器本体の内部に装着して使用され、前記塗布部に付着した化粧料をしごき落して量の調節をするためのしごき部材であって、ゴム弾性のない材料で作成しても、しごき残りのラインを生じることなく良好なしごき感が得られ、しかも成形金型の加工が容易な塗布具付き化粧料容器のしごき部材を提供することを課題とする。
【課題を解決するための手段】
【０００７】
本発明者は、しごき部材の漏斗状部の下端周縁に波形のベンド部を設けることにより、前記課題を解決した。
すなわち、本発明は、筒状の容器本体の上部開口端に、先端に塗布部を有する軸部が設けられた塗布具が、該軸部を該容器本体内に挿抜可能にして取り付けられてなる化粧料容器において前記容器本体の内部に装着して使用され、前記塗布部に付着した化粧料をしごき落して量の調節をするためのしごき部材であって、筒状部と、該筒状部の下端周縁に位置する下方に縮径した漏斗状部と、該漏斗状部の下端周縁に位置する該漏斗状部の下端周縁と平行する波形のベンド部とが、熱可塑性樹脂で一体に成形されてなる塗布具付き化粧料容器のしごき部材を提供するものである。
【発明の効果】
【０００８】
本発明により、しごき残りのラインを生じることなく良好なしごき感が得られ、しかも成形金型の加工が容易な、塗布具付き化粧料容器のしごき部材を提供することができる。
【図面の簡単な説明】
【０００９】
【図１】本発明のしごき部材の斜視図である。
【図２】本発明のしごき部材の半断面図である。
【図３】図２におけるＡ−Ａ線端面図である。
【図４】図２におけるＢ−Ｂ線端面図である。
【図５】本発明のしごき部材を装着した容器本体の断面図である。
【図６】化粧料容器の塗布具の一例を示す平面図である。
【図７】化粧料容器の容器本体の一例を示す断面図である。
【図８】従来のしごき部材の一例の半断面図である。
【発明を実施するための形態】
【００１０】
本発明のしごき部材４は、図１の斜視図、図２の半断面図、図３の図２におけるＡ−Ａ線端面図、及び図４の図２におけるＢ−Ｂ線端面図で示すように、筒状部４ａと、該筒状部４ａの下端周縁に位置する下方に縮径した漏斗状部４ｂと、該漏斗状部４ｂの下端周縁に位置する該漏斗状部４ｂの下端周縁と平行する波形のベンド部４ｃとが、一体に成形されてなるものである。
【００１１】
筒状部４ａには、容器本体２に確実に装着し、且つ、容器本体２の密閉を確実にするため、上部開口端にはフランジ４ａａを設け、外周には凸周条４ａｂを設けているが、図示する形状には特に限定されず、容器本体２の形状、大きさ等により、適宜選択し得る。
漏斗状部４ｂは、下方に縮径した形状であれば、円錐形状に限らず、おわん型形状であっても差し支えない。
ベンド部４ｃは、漏斗状部４ｂの下端周縁と平行する、言い換えれば、波形の谷が漏斗状部４ｂの下端周縁に接する形の波形であることが必要である。波形の形状としては、正弦波、矩形波、三角波、のこぎり波等のいずれでも良いが、金型の構造を加工の容易な簡単なものとする点からは、正弦波又はそれに類似する形状が好ましい。
【００１２】
しごき部材４の漏斗状部４ｂの下端のベンド部４ｃとの接続部分の内径は、塗布具１を容器本体２に冠着し軸部１ｂを挿入した状態にて位置している塗布具1の軸部1ｂの軸上部１ｂａの径と実質的に等しく、且つ、ベンド部４ｃは下方に向かって先細りとなっているのが好ましい。
即ち、塗布具１の軸部１ｂの直径は、一般に軸上部が太く下部に向かって細くなっており、軸上部１ｂａの径は通常、φ３．０〜７．０mm、軸下部１ｂｂの径は通常、軸上部１ｂａの径よりφ０．１〜１．０mm小であるが、本発明のしごき部材４においては、漏斗状部４ｂの下端のベンド部４ｃとの接続部分の内径を軸部１ｂの軸上部１ｂａの径よりφ０〜１．０mm小とし、ベンド部４ｃの下端に内接する円の直径を軸部１ｂの軸下部１ｂｂの径よりφ０〜１．０mm小とするのが好ましい。
【００１３】
漏斗状部４ｂの下端のベンド部４ｃとの接続部分の内径を軸部１ｂの軸上部１ｂａの径よりφ０〜１．０mm小とすることにより、塗布具１を冠着し軸部１ｂを挿入した状態においては、容器本体２内を外気と遮断して、揮発性の溶剤などを含む化粧料の乾燥・固化を防止し、使用の為に塗布具１を外して軸部１ｂを引き抜く際には、抵抗のない良好なしごき感が得られ、且つ、軸部１ｂに付着した化粧料を確実にしごき落とすことができる。
一方、ベンド部４ｃの下端に内接する円の直径を軸部１ｂの軸下部１ｂｂの径よりφ０〜１．０mm小とすることにより、軸部１ｂに付着した化粧料を確実にしごき落とすことができ、且つ、塗布部１ｃへの化粧料の付着量が適切に調節することができる。
【００１４】
ベンド部４ｃの波形の山の数は、４〜８であるのが好ましく、４以上とすることにより、波型とする効果が十分に発揮でき、８以下とすることにより、金型の構造を加工の容易な簡単なものとすることができる。
ベンド部４ｃの波形の波高、言い換えれば、漏斗状部４ｂとの接続部分からベンド部４ｃの下端までの垂直距離は、０．５〜３．０mmであるのが好ましく、０．５mm以上とすることにより、ベンド部４ｃの剛性変化によるしごき効果を発揮することができ、３．０mm以下とすることにより、塗布部１ｃをしごいた際にベンド部４ｃが内側にめくれ上がることを防ぎ、良好なしごき効果を発揮することができる。
【００１５】
ベンド部４ｃは、漏斗状部４ｂとの接続部分から下方の波形の山の先端に向かうに従い肉薄とするのが好ましい。
即ち、漏斗状部４ｂの肉厚は、０．５〜１．５mmとするのが適当であるが、ベンド部４ｃの下端の肉厚は、０．１〜０．４mmとするのが、ベンド部４ｃの剛性変化によるしごき効果を発揮する点から好ましい。
弾性材料によって作られた場合、漏斗状部４ｂの肉厚は０．５〜１．５mmとするのが適当であり、ベンド部４ｃの肉厚は漏斗状部４ｂの肉厚と等しくすることができる。
【００１６】
本発明のしごき部材４は、熱可塑性樹脂で一体成形したものである。
熱可塑性樹脂としては、種々のものが使用可能であり、天然ゴム、合成ゴム、ポリウレタン等の弾性材料も使用できるが、高密度ポリエチレン（ＨＤＰＥ）、低密度ポリエチレン（ＬＤＰＥ）、線状低密度ポリエチレン（ＬＬＤＰＥ）、エチレン−α−オレフィン共重合体、エチレン−酢酸ビニル共重合体（ＥＶＡ）、エチレン−メチルメタクリレート共重合体（ＥＭＭＡ）、ポリプロピレン等のポリオレフィン樹脂、及び、ＰＥＴ等のポリエステル樹脂、メタクリル酸エステル重合体等のアクリル樹脂、ポリアミド樹脂であってもよい。特に、低密度ポリエチレンを使用した場合には、硬度があるため、容器本体２への装着が容易で化粧料容器の製造作業性に優れ、しかも、本発明の形状を採ることにより、ゴム弾性材料と同等の良好なしごき感が得られるので、好ましい。
【００１７】
図５は、本発明のしごき部材４を装着した容器本体２の断面図である。
以下、しごき部材４の作用・効果を、図６を参照して説明する。
図５に示す容器本体２に化粧料を入れ、塗布具１を冠着した状態では、塗布部１ｃ及び軸部１ｂの下部は化粧料中に浸り、しごき部材４の漏斗状部４ｂの下端周縁及びベンド部４ｃは、軸部１ｂに接していて、揮発性の溶剤などを含む化粧料の乾燥・固化を防止する。
塗布具１を容器本体２から外して、軸部１ｂを容器本体２から引き抜く際には、最初は、軸部１ｂは漏斗状部４ｂの下端周縁及びベンド部４ｃに摺接しながら引き上げら、この時点では、ベンド部４ｃは波形状であることによる剛性変化により、下端部を含めた全体が軸部１ｂの外径と同じ内径となって、化粧料を確実にしごき落とす。
次いで、塗布部１ｃがベンド部４ｃに達した後は、ベンド部４ｃの下端部は、元の形状に復元しようとする力を塗布部１ｃに加えながら、摺接するので、塗布部１ｃへの化粧料の付着量が適切に調節される。この際には、ベンド部４ｃの塗布部１ｃへの当たりを変化させながら摺接し、波形の間から空気がスムースに抜けるので、ポンピングが起こることはない。
なお、容器本体２は、図示する形状には特に限定されるものではなく、化粧料の種類、性状等に応じて、適宜選択し得る。
【産業上の利用可能性】
【００１８】
本発明の、しごき部材は、しごき残りのラインを生じることなく良好なしごき感が得られ、しかも成形金型の加工が容易であり、塗布具付き化粧料容器各種筒状体、多角柱体、瓶体等の容器に入った商品であって、マスカラ、アイライナー、更には、ネイルエナメル、リップグロス等の液体化粧料やルースパウダー、アイシャドー等の粉末化粧料の化粧料容器のしごき部材として好適に用いられる。
【符号の説明】
【００１９】
１      塗布具
１ａ    キャップ
１ｂ    軸部
１ｂａ  軸上部
１ｂｂ  軸下部
１ｃ    塗布部
２      容器本体
３      従来のしごき部材
４      本発明のしごき部材
４ａ    筒状部
４ａａ  フランジ
４ａｂ  凸周条
４ｂ    漏斗状部
４ｃ    ベンド部
【図１】
0005513155.tif 000002
【図２】
0005513155.tif 000003
【図３】
0005513155.tif 000004
【図４】
0005513155.tif 000005
【図５】
0005513155.tif 000006
【図６】
0005513155.tif 000007
【図７】
0005513155.tif 000008
【図８】
0005513155.tif 000009